Podtech/llm-jp-corpus-v4-ja_patent huggingface dataset:
(57)【要約】【目的】バンプを用いてＩＣチップを容器本体の内底面に固着する表面実装用の水晶発振器の特に高さ寸法を小さくする。【構成】凹部を有する容器本体の内底面にバンプを用いてＩＣチップを例えば超音波熱圧着によって固着するとともに、外周部に引出電極を延出した水晶片を前記凹部内に収容してなる表面実装用の水晶発振器において、前記容器本体の内底面と前記ＩＣチップとの間に前記水晶片を介在させて前記引出電極の延出した外周部を固着した構成とする。【選択図】図１
2004254029.tif 000002
【特許請求の範囲】
【請求項１】
凹部を有する容器本体の内底面にバンプを用いてＩＣチップを固着するとともに、外周部に引出電極を延出した水晶片を前記凹部内に収容してなる表面実装用の水晶発振器において、前記容器本体の内底面と前記ＩＣチップとの間に前記水晶片を介在させて前記引出電極の延出した外周部を固着したことを特徴とする水晶発振器。
【発明の詳細な説明】
【０００１】
【発明の属する技術分野】
本発明は表面実装用の水晶発振器（以下、表面実装発振器とする）を産業上の技術分野とし、特に高さ寸法を小さくした表面実装発振器に関する。
【０００２】
【従来の技術】
（発明の背景）表面実装発振器は小型・軽量であることから特に携帯型の電子機器に周波数や時間の基準源として使用される。近年では、さらに高さ寸法を小さくして電子機器の薄型化に貢献する表面実装発振器が望まれている。
【０００３】
（従来技術の一例）第２図は一従来例を説明する図で、同図（ａ）は表面実装発振器の断面図、同図（ｂ）は水晶片の平面図である。
【０００４】
表面実装発振器は容器本体１にＩＣチップ２と水晶片３を収容し、カバー４を被せて密閉封入してなる。容器本体１は底壁５と上下二層の枠壁６（ａｂ）を備え、枠壁内側面に段部を有する凹状とした積層セラミックからなる。そして、外表面に電源、出力及びアース用等とした表面実装用の図示しない外部端子を有する。
【０００５】
ＩＣチップ２はＩＣ端子（未図示）を有する一主面を例えばバンプ７を用いた超音波熱圧着によって容器本体１の内底面即ち底壁表面に設けられたＩＣ用の電極ランド（ＩＣランド８とする）に固着する。いわゆるフリップチップボンディングによってＩＣチップ２を電気的・機械的に接続する。ＩＣランド８は一対を除いて外部端子に接続する。
【０００６】
水晶片３は両主面に励振電極９（ａｂ）を有し、例えば一端部両側に引出電極１０（ａｂ）を延出する。そして、引出電極１０（ａｂ）の延出した一端部両側を導電性接着剤１１等によって、水晶用の電極ランド（水晶ランド）１２に固着し、電気的・機械的に接続する。水晶ランド１２はＩＣランド８の一対に電気的に接続する。
【０００７】
カバー４は例えば金属からなり、容器本体１の枠壁上面に設けた図示しない金属リングにシームやビーム溶接してなる。あるいは、カバーを例えばセラミックとして樹脂やガラスを用いた封止とする。
【０００８】
【発明が解決しようとする課題】
（従来技術の問題点）しかしながら、上記構成の表面実装発振器では容器本体１における凹部の内側面に段部を設け、ＩＣチップ２と水晶片３とを両者の板面を平行にして上下に配置する。したがって、ＩＣチップ２と水晶片３との間隙が必然的に高さ寸法を大きくする問題があった。
【０００９】
（発明の目的）本発明は特に高さ寸法を小さくした表面実装発振器を提供することを目的とする。
【００１０】
【特許文献１】特開２００１−３０８６４４
【００１１】
【課題を解決するための手段】
（着目点）本発明はバンプを用いて固着されるＩＣチップと容器本体の内底面との間隙に着目した。
【００１２】
（解決手段）本発明は、凹状とした容器本体の内底面とバンプによって固着されたＩＣチップとの間に水晶片を介在させて保持した構成とする。これにより、概ねバンプの高さ分小さくできる。
【００１３】
【実施例】
第１図は本発明の一実施例を説明する表面実装発振器の断面図で、同図（ａ）は断面図、同図（ｂ）はカバーを除く平面図である。なお、前従来例と同一部分には同番号を付与してその説明は簡略又は省略する。
【００１４】
表面実装発振器は前述同様に容器本体にＩＣチップ２と水晶片３とを収容してなる。ここでの容器本体は段部を排除し、底壁５と枠壁６の二層とする。そして、凹部の内底面にはＩＣランド８と水晶ランド１２が設けられる。ＩＣランド８は長さ方向に沿って両側に、水晶ランド１２の一対は一端側に形成される。
【００１５】
このようなものでは、先ず引出電極（未図示）の延出した水晶片３の一端部両側を水晶ランド１２に導電性接着剤１１によって固着し、電気的・機械的に接続する。そして、図示しない端子を用いて励振電極（未図示）の質量を付加したり、減じたりして振動周波数を調整する。
【００１６】
次に、ＩＣチップ２を前述のようにバンプ７を用いた超音波熱圧着によって、いわゆるフリップチップボンディングによって水晶片３の幅方向を覆うようにＩＣランド８に固着し、電気的・機械的に接続する。但し、バンプ７とＩＣランド８との合計厚みは少なくとも水晶片３の高さより大きく設定される。
【００１７】
このような構成であれば、容器本体１の内底面とＩＣチップ２との間に水晶片３を介在させるので、両者の（内底面とＩＣチップ２）の間隙を無駄なく利用する。したがって、容器本体１の高さ寸法を小さくできる。また、段部を要しないので積層セラミックを二層にでき、安価にする。
【００１８】
さらに、特許文献１に示されるように、水晶片３を固着（保持）した後にＩＣチップ２を固着できる。したがって、水晶振動子（水晶片）の振動周波数を質量の増減によって調整できる。
【００１９】
【他の事項】
上記実施例では水晶片３の一端部両側を固着したが、水晶片３の両端部に引出電極を延出して両端保持としてもよい。また、導電性接着剤１１によって水晶片３を固着したが、共晶合金等によって接合してもよくこれらは任意に選択できる。
【００２０】
【発明の効果】
本発明は、凹状とした容器本体の内底面とバンプによって固着されたＩＣチップとの間に水晶片を介在させて保持したので、特に高さ寸法を小さくした表面実装発振器を提供できる。
【図面の簡単な説明】
【図１】本発明の一実施例を説明する表面実装発振器の図で、同図（ａ）は断面図、同図（ｂ）はカバーを除く平面図である。
【図２】従来例を説明する図で、同図（ａ）は表面実装発振器の断面図、同図（ｂ）は水晶片の平面図である。
【符号の説明】
１  容器本体、２  ＩＣチップ、３  水晶片、４  カバー、５  底壁、６  枠壁、７  バンプ、８  ＩＣランド、９  励振電極、１０  引出電極、１１  導電性接着剤、１２  水晶ランド．
【図１】
2004254029.tif 000003
【図２】
2004254029.tif 000004
(57)【要約】【課題】電機子を物体に取り付ける際の自由度が高く、加工が容易でコストが低いリニアモータを提供する。【解決手段】フランジ３に電機子コイル２を取り付けて構成した電機子１にテーブルや固定ベースなどの物体８を取り付けてなるリニアモータにおいて、フランジ３の物体固定面に、スラスト方向に延びる溝５を設けるとともに、物体８にボルト通し穴８ａを形成し、Ｔスローナット４を溝５にスライド挿入させるとともに、物体８のボルト通し穴８ａに通した締付けボルト１２をＴスローナット４と螺合させて、物体８をフランジ３に締付固定する。【選択図】        図１
2004254432.tif 000002
【特許請求の範囲】
【請求項１】
フランジに電機子コイルを取り付けて構成した電機子にテーブルや固定ベースなどの物体を取り付けてなるリニアモータにおいて、
前記フランジの物体固定面に、スラスト方向に延びる溝を設けるとともに、前記物体にボルト通し穴を形成し、
Ｔスローナットを前記溝にスライド挿入させるとともに、前記物体のボルト通し穴に通した締付けボルトを前記Ｔスローナットと螺合させて、前記物体を前記フランジに締付固定したことを特徴とするリニアモータ。
【請求項２】
前記フランジをアルミニウムまたはアルミニウム合金で構成し、前記溝を押出加工で形成したことを特徴とする請求項１に記載のリニアモータ。
【発明の詳細な説明】
【０００１】
【発明の属する技術分野】
本発明は、電機子にテーブルや固定ベースなどの物体を取り付けてなるリニアモータに関するものである。
【０００２】
【従来の技術】
この種の従来のリニアモータは、図３に示すように、フランジ３に電機子コイル２を取り付けて電機子１を構成している（例えば特許文献１）。また、前記電機子１は、フランジ３に複数のタップ穴３１を加工し、前記タップ穴３１に締付けボルトを螺合させて、前記電機子をテーブルや固定ベースなどの物体に固定していた。
【０００３】
【特許文献１】
特開２００１−９５２２６号公報（図１）
【０００４】
【発明が解決しようとする課題】
しかしながら、このような従来技術においては、次のような問題があった。
（１）電機子の取り付け位置は、タップ穴によって制限を受けるので、制限を少なくするためにはタップ穴の数を増やさなければならない。しかし、それでも完全なフリーにはならない。
（２）フランジ３の３面に多くのタップ穴３１を形成するため、加工が面倒で時間がかかる。したがって、コストが高くなる。
（３）タップ穴３１の数が多いので、タップ穴３１相互の位置精度が低くなりやすく、電機子１の取付精度が低くなるおそれがある。
本発明は、このような問題を解決するためになされたもので、電機子を物体に取り付ける際の自由度が高く、加工が容易でコストが低いリニアモータを提供することを目的とするものである。
【０００５】
【課題を解決するための手段】
上記課題を解決するため、本発明は、フランジに電機子コイルを取り付けて構成した電機子にテーブルや固定ベースなどの物体を取り付けてなるリニアモータにおいて、前記フランジの物体固定面に、スラスト方向に延びる溝を設けるとともに、前記物体にボルト通し穴を形成し、Ｔスローナットを前記溝にスライド挿入させるとともに、前記物体のボルト通し穴に通した締付けボルトを前記Ｔスローナットと螺合させて、前記物体を前記フランジに締付固定するようにしたものである。
【０００６】
【発明の実施の形態】
以下、本発明の実施例を図に基づいて説明する。
図１は、本発明の実施例における電機子を示す斜視図である。
図１において、１はリニアモータの電機子である。電機子コイル２を保持するフランジ部材３のスラスト方向に、Ｔスローナット４をスライド配置させるための溝５を、電機子コイル２を固定しない３面に加工し、この溝５にＴスローナット４をスライド挿入させて、このＴスローナット４により前記電機子１を固定させる。
図２は、前記電機子１を組み込んだリニアスライダを示す正断面図である。
図２において、６はスライダベースであり、これには、２本のリニアガイド７ａ、７ｂが平行に固定されている。さらにテーブル８が、このリニアガイド７に固定され、摺動自在に保持されている。
前記スライダベース６には、マグネットトラック９がリニアガイド７ａ，７ｂと平行に固定されており、電機子１は、マグネットトラック９と、ギャップを介して、溝５にスライド嵌合されたＴスローナット４によりテーブル８に固定されている。
前記電機子１はＴスローナット４をスライドさせることにより、前記テーブル８の適宜の位置に取り付けることができる。
また、電機子１は、フランジ３をアルミニウムまたはアルミニウム合金で製造することにより、前記溝を押出加工で簡単に形成することができる。
【０００７】
【発明の効果】
以上述べたように、本発明によれば、次のような効果がある。
（１）  電機子は、Ｔスローナットを溝内でスライドさせることにより、テーブルや固定ベースなどの物体に、適宜の位置で取り付けることができる。したがって、リニアモータのユーザーサイドの駆動部への組み込み自由度が向上する。
（２）  また、前記溝は、高い直線精度で成形できるので、リニアモータのユーザーサイドの駆動部への組み込み精度も向上する。
（３）  電機子は、フランジをアルミニウムまたはアルミニウム合金で製造することにより、溝を押出加工で簡単に形成することができるので、製造コストが大きく低減する。
【図面の簡単な説明】
【図１】本発明の実施例における電機子を示す斜視図である。
【図２】図１における電機子を組み込んだリニアスライダを示す正断面図である。
【図３】従来技術における電機子を示す斜視図である。
【符号の説明】
１    電機子
２    電機子コイル
３    フランジ
３ａ  タップ穴
４    Ｔスローナット
５    溝
６    スライダベース
７ａ，７ｂ    リニアガイド
８    物体（テーブル）
８ａ  ボルト通し穴
９    マグネットトラック
１０  マグネットヨーク
１１  マグネット
１２  締付けボルト
【図１】
2004254432.tif 000003
【図２】
2004254432.tif 000004
【図３】
2004254432.tif 000005
(57)【要約】【課題】偏心マグネットを有する永久磁石形回転子においても良好に着磁することができる永久磁石形回転子の着磁装置を提供する。【解決手段】内周にスロット部８およびティース部６を有する中空の着磁ヨーク５と、ティース部６に巻装したコイル７で構成し、回転子１の外周部に偏心マグネット２を配置した永久磁石形回転子１を着磁する着磁装置４において、着磁ヨーク５に設けたティース部６の先端形状を、回転子１の偏心マグネット２の外周に沿って偏心させた円弧部６ａと、回転子１の中心を中心点とする円弧部６ｂを組み合わせた形状とする。【選択図】        図１
2004254446.tif 000002
【特許請求の範囲】
【請求項１】
内周にスロット部及びティース部を有する中空の着磁ヨークと、前記ティース部に巻装したコイルで構成し、回転子の外周部に偏心マグネットを配置した永久磁石形回転子を着磁する着磁装置において、
前記着磁ヨークに設けたティース部の先端形状を、前記回転子の偏心マグネット外周に沿って偏心させた円弧と、回転子中心を中心点とする円弧を組み合わせた形状としたことを特徴とする永久磁石形回転子の着磁装置。
【発明の詳細な説明】
【０００１】
【発明の属する技術分野】
本発明は、永久磁石形電動機の回転子を着磁する着磁装置に関し、特に回転子外周に偏心マグネットを配置した永久磁石形回転子を着磁する着磁装置に関するものである。
【０００２】
【従来の技術】
通常、永久磁石形電動機の試作を行う場合は、既着磁マグネットを使用して回転子を製作する。そして、特性評価後に量産に移行するが、量産時には、作業性、ハンドリングし易さ等の面から、未着磁マグネットを使用してまず回転子を製作し、その後に、着磁装置にて着磁を行うようにしている。
従来、回転子の表面に永久磁石を配置した永久磁石形電動機の回転子を着磁する場合、特許文献１に示すように、着磁ヨークに設けられたティース部の先端を回転子の中心と同心の円弧状に形成して、永久磁石に着磁を施していた。
【０００３】
【特許文献１】
特開平１１−３０８８２５号公報（図３）
【０００４】
【発明が解決しようとする課題】
しかしながら、このような従来技術においては、永久磁石が、外周面の円弧が、回転子の中心と同心の場合は、永久磁石の外周面と着磁ヨークのティース部の先端とのギャップが均等で問題はなかったが、永久磁石の外周面の円弧が、回転子の中心に対して偏心している所謂偏心マグネットの場合は、永久磁石の外周面と着磁ヨークのティース部の先端とのギャップが不均一となり、良好な着磁ができないという問題があった。
すなわち、偏心マグネットの偏心部頂点付近では磁気ギャップが小さく、着磁装置が発生する磁束の方向もマグネットの磁化方向とほぼ平行になる為、完全に着磁される。しかし、マグネット端部に近づくにつれて、磁気ギャップも大きくなり、着磁装置が発生する磁束もマグネットの磁化方向とずれてくる為、着磁に必要な有効磁束が得られず、完全に着磁されない部分が生じる。不完全着磁部が生じることで、回転子が発生する磁束分布が理想状態の正弦波からずれた歪んだ波形となる為、コギングトルク、誘起電圧の高調波成分ともに増大し、電動機の発生するトルク脈動が大きくなるという問題である。
本発明は、このような問題を解決するためになされたもので、偏心マグネットを有する永久磁石形回転子においても良好に着磁することができる永久磁石形回転子の着磁装置を提供することを目的とするものである。
【０００５】
【課題を解決するための手段】
上記問題を解決するため、本発明は、内周にスロット部及びティース部を有する中空の着磁ヨークと、前記ティース部に巻装したコイルで構成し、回転子の外周部に偏心マグネットを配置した永久磁石形回転子を着磁する着磁装置において、
前記着磁ヨークに設けたティース部の先端形状を、前記回転子の偏心マグネット外周に沿って偏心させた円弧と、回転子中心を中心点とする円弧を組み合わせた形状としたものである。
【０００６】
【発明の実施の形態】
以下、本発明の実施例を図１に基づいて説明する。
図１は本発明の実施例における着磁装置の要部を示す部分正断面図である。
図１において、１は外周面に偏心マグネット２を等間隔に配置した永久磁石形回転子、３は前記偏心マグネット２の外周面に被せた保護シート、４は着磁装置、５は積層電磁鋼鈑からなる着磁ヨーク、６は着磁ヨークに設けたティース部で、先端の形状を、前記回転子１の偏心マグネット２外周に沿って偏心させた円弧６ａと回転子１の中心を中心点とする円弧６ｂを組み合わせた形状としている。７は前記ティース部６に巻装したコイル、８はスロット部である。
このような構成において、着磁装置４のティース部６の先端は、全範囲において偏心マグネット２の外周面と均一で、かつ小さなギャップを介して対向することになり、着磁に必要な磁束量を確保することができる。これにより、偏心マグネット２全体が完全に着磁できるようになるため、回転子１が発生する磁束分布も正弦波に近づき、コギングトルク、誘起電圧の高調波成分ともに既着磁マグネットで構成していた回転子と同等の特性を得ることができる。
【０００７】
【発明の効果】
以上述べたように、本発明によれば、偏心マグネット全体を良好に着磁することができ、回転子が発生する磁束分布も正弦波に近づき、コギングトルク、誘起電圧の高調波成分ともに既着磁マグネットで構成していた回転子と同等の特性を得ることができるという効果がある。
【図面の簡単な説明】
【図１】本発明の実施例における着磁装置の要部を示す部分正断面図である。
【符号の説明】
１    永久磁石形回転子
２    偏心マグネット
３    保護シート
４    着磁装置
５    着磁ヨーク
６    ティース部
６ａ  マグネット外周に沿った円弧部
６ｂ  回転子中心を中心点とする円弧部
７    コイル
８    スロット部
【図１】
2004254446.tif 000003
(57)【要約】【課題】洋式トイレに用いられている便座の形状は、衣類等を下ろして用を済ませる際、衣類等が、便器にくっつくことがあり、あまりきれいではなかった。【解決手段】便器を覆う様に便座２の前部分にエプロン型のカバーを付ける。【選択図】図１
2004254888.tif 000002
【特許請求の範囲】
【請求項１】
洋式トイレの便座の前部分にエプロンの様なカバーを設けたことを特徴とする便座。
【請求項２】
エプロンの様なカバーを設け、このエプロンの様なカバーは、便座を上げた時にも、邪魔にならない長さであることを特徴とする請求項１記載の便座。
【発明の詳細な説明】
【０００１】
【発明の属する技術分野】
この発明は、洋式トイレに用いる便座の形状に関する。
【０００２】
【従来の技術】
従来の洋式トイレに用いられてる便座の形状は、図３、図４に示すように、便器本体１の上面と同じ様な形の便座２が便器本体１の上に設けられたものである。
【０００３】
【発明が解決しようとする課題】
しかしながら、以上の従来技術によれば、衣類等を下ろして用を済ませる際、衣類等が便器にくっつきあまりきれいでは無かった。そこでこの発明は、衣類等を下ろして用を済ませる際でも、衣類等が便器に付かないように、エプロンの様なカバーを設けた便座を、提供することを課題とする。
【０００４】
【課題を解決するための手段】
以上の課題を解決するために、請求項１の発明は、洋式トイレの便座の前部分にエプロンの様なカバーを設けたことを特徴とする便座である。また、請求項２の発明は、エプロンの様なカバーを設け、このエプロンの様なカバーは、便座を上げた時にも、邪魔にならない長さであることを特徴とする便座である。
【０００５】
【発明の実施の形態】
この発明の一実施形態を、図１、図２に示す。便座本体２はプラスティック製であり、この本体２にはプラスティック製のエプロンの様なカバー３が設けられている。
【０００６】
「実施形態の効果」
この実施形態によれば、エプロンの様なカバー３の働きで、衣類等を下ろして用を済ます際、便器本体１に衣類がくっつかない。したがって、衣類が汚れる心配が無く、不快感が無くなる。
【０００７】
「他の実施形態」
図１の実施形態では、便座２は、エプロンの様なカバー３と一体的であったが、他の実施形態では、エプロンの様なカバー３を後から便座に取り付けても良い。
【０００８】
【発明の効果】
以上説明したように、この発明によれば、便座にエプロンの様なカバーを設けたので、衣類を下ろして用を済ます際、衣類等が汚れない。
【０００９】
また、不快感をおぼえたり、衣類等にあまり気を使わずに、用を済ますことが出来る。
【図面の簡単な説明】
【図１】この発明の一実施形態を示す斜視図である。
【図２】この発明の一実施形態を示す側面図である。
【図３】従来技術を示す斜視図である。
【図４】従来技術を示す側面図である。
【符号の説明】
１  便器          ２  便座        ３  エプロン型カバー
【図１】
2004254888.tif 000003
【図２】
2004254888.tif 000004
【図３】
2004254888.tif 000005
【図４】
2004254888.tif 000006
(57)【要約】【課題】本発明は、電気信号を効率よく音波に変換することを目的とした装置に関するものである。【解決手段】ダイナミックスピーカーの機械的損失を可能な限り低減し、増幅器は高インピーダンス出力、出力端からの信号を帰還しない電流出力増幅器を用いる。【選択図】  なし【特許請求の範囲】
【請求項１】
電流出力である。高インピーダンス出力である。出力端からの信号を帰還しない。以上の特徴を全て備えた増幅器を用い、機械的損失を可能
な限り低減させたダイナミックスピーカーを駆動する装置。
【発明の詳細な説明】
本発明は、電気信号を効率よく音波に変換することを目的とした装置である。従来の装置では駆動するスピーカーの種類を限定していない為に増幅器は電圧出力にする必要があった。
本来ダイナミックスピーカーは電流により動作するにもかかわらず電圧により駆動している為、動作安定化の為に機械的制動を意図的に与える必要があり必然的に機械的損失が増加し電気信号を効率よく変換することができなかった。
そこで、理想的に効率よく動作させる為にダイナミックスピーカーの機械的損失を可能な限り低減し、増幅器は高インピーダンス出力、出力端からの信号を帰還しない電流出力増幅器を用いることにより実現するものである。
この装置では、電気信号を音波に変換する効率が格段に向上する為低消費電力化が可能となる。更に、ダイナミックスピーカーの動作が理想に近づく為高音質化も期待できる。
(57)【要約】【課題】２周波共用パッチ型アンテナにおいて、利得等の性能を向上させる構造を提供する。【解決手段】地板と、第１放射板と、第２放射板と、副放射板と、で構成する。【選択図】    図４
2004254267.tif 000002
【特許請求の範囲】
【請求項１】
２つの周波数で作動するパッチ型平面アンテナ（以下、パッチアンテナ）であって、地板と、第１の周波数の概０．５λ＊０．５λの第１放射板と、第２の周波数の概０．５λ＊０．５λの第２放射板と、第２の周波の概０．３５λ＊０．３５λの副放射板と、で構成され、第２放射板の１辺の中央付近を給電点とした２周波共用パッチアンテナ。
【請求項２】
前記第１放射板は外周より中心に、第１の周波数の概長さ０．１２５λ、概幅０．０５λのスリットを持つ、請求項１記載の２周波共用パッチアンテナ。
【請求項３】
前記第１放射板、第２放射板，副放射板は、各々中心付近を通した接続ピンにより地板に導通された、請求項１記載の２周波共用パッチアンテナ。
【発明の詳細な説明】
【０００１】
【発明の属する技術分野】
本発明は、無線ＬＡＮなどに使用される通信アンテナにおいて、複数周波数での使用を可能にするアンテナに関する。
【０００２】
【従来の技術】
図１は従来型２周波共用パッチアンテナの構造である。地板と第１放射板と第２放射板により構成されている。給電は同軸ケーブルの芯線が第１放射板に開けられた穴を非接触で通り、第２放射板の外周より若干中心に寄った場所に接続されている。同軸ケーブルの外導体は給電点付近の地板に接続されている。かかる構造の２周波共用パッチアンテナは１周波パッチアンテナと比較して利得特性が劣っている。本構造では、第２の周波数での特性を維持したままで、第１の周波数において専用周波数のパッチ型平面アンテナと概同じ利得特性が得られない欠点があった。
【０００３】
【発明が解決しようとする課題】
よって、本発明の目的とするところは、各々専用周波数の１周波パッチアンテナと概同じ利得特性を持つ２周波共用パッチアンテナを提供することである。
【０００４】
【問題を解決するための手段】
上記目的を達成するため、本発明の２周波共用パッチアンテナは、副放射板を装荷したパッチアンテナの特性を利用している。
通常、副放射板はパッチアンテナにおいてインピーダンス整合のための、無給電素子として作用している。図２は１周波パッチアンテナにおける副放射板の有無によるＳＷＲデータである。副放射板を装荷することにより目的周波数でインピーダンス整合が得られる。
【０００５】
ＳＷＲデータは同時に、１周波パッチアンテナ動作周波数の概１／２の周波数において共振が発生していることを表している。図３−１は１周波パッチアンテナの放射特性である。概１／２Ｆ（周波数）では基本モード共振のため、地板方向の放射が主であり、パッチアンテナの必要とする、地板に直角方向の放射はない。この状態では２周波動作とは云えない。
【０００６】
そこで、本考案は副放射板を装荷したパッチアンテナの地板と放射板の間に、概１／２Ｆにおいて概０．５λ×概０．５λの大きさの１／２Ｆ放射板を装荷することにより、１／２Ｆ放射板は放射板の前述基本モード共振である１／２Ｆで励振された結果、１／２Ｆにおいて、地位に直角方向に放射するパッチアンテナとして作用する。図３−２は１／２Ｆ放射板を装荷したパッチアンテナの１／２Ｆにおける放射特性とＳＷＲ特性である。
かかる構成にすることにより、２周波において各々の専用周波数用のパッチアンテナと概同じ利得特性を持った、２周波共用アンテナを可能にする。
【０００７】
【発明の実施の形態】
以下、本発明の実施の形態について図面を参照して説明する。図４は実施の形態を示している。全体は地板１１、第１放射板２１、第２放射板３１、副放射板４１、同軸ケーブル５１、接続体６１、接続ピン６２により構成される。
第１放射板２１の大きさは第１の周波数の概０．５λ＊０．５λ、第２放射板３１の大きさは第２の周波数の概０．５λ＊０．５λ、副放射板４１の大きさは第２の周波の概０．３５λ＊０．３５λ、
【０００８】
地板と第１放射板の間隔は第１の周波数の概０．０１から０．０５λ、第１放射板と第２放射板の間隔は第２の周波数の概０．０２から０．１λ、第２放射板と副放射板の間隔が第２の周波数の概０．０２から０．１λである、
接続ピン６２は各々の中心において物理的な保持と電気的導通を兼ねている。
【０００９】
第２放射板３１にはスリット３２があり、同軸ケーブル５１が地板１１の端部からスリット３２にはさまれるように配置され、同軸ケーブル５１の芯線５２が第２放射板３１の端部３２に接続される。同軸ケーブル５１の外部導体５２と地板１１の間は接続体６１により接続される。
【００１０】
かかる構成の動作を図面を参照して説明する。図５は動作の様態を示している。第１の周波で動作するとき、副放射板４１を装荷した第２放射板３１は、第１の周波の基本モードで共振することにより、第１放射板を励振し、第１の周波数のパッチアンテナとして作動する。
【００１１】
第２の周波で動作するとき、第１放射板２１は第２放射板３１に対する地板として動作し、副放射板４１は第２放射板３１に対する無給電素子として整合をとるとともに、導波器様の動作をして放射エネルギを前方に収束させ、第２の周波数のパッチアンテナとして作動する。
図６は従来型と本発明との利得特性の比較データである。
【００１２】
【発明の効果】
以上説明したように、本発明の２周波共用パッチ型アンテナは第１の周波数と第２の周波数の各々において専用周波数のパッチ型アンテナと概同じ利得特性が得られる。
【図面の簡単な説明】
【図１】従来型２周波共用パッチアンテナの構造である。
【図２】１周波パッチアンテナにおける副放射板の有無によるＳＷＲデータ。
【図３】放射特性とＳＷＲデータ。
【図４】本考案実施の形態である。
【図５】本考案の動作の様態である。
【図６】従来型と本発明との利得特性の比較データである。
【符号の説明】
１１  地板
２１  第１放射板
３１  第２放射板
４１  副放射板
５１  同軸ケーブル
５２  給電点
６１  接続体
６２  接続ピン
【図１】
2004254267.tif 000003
【図２】
2004254267.tif 000004
【図３】
2004254267.tif 000005
【図４】
2004254267.tif 000006
【図５】
2004254267.tif 000007
【図６】
2004254267.tif 000008
(57)【要約】【課題】パソコンやワープロ等に使用されているような文字入力用のキー及びボタンを備えておらず、最低限１６個のキー及びボタンしか持っていない機器で効率良く日本語を入力する。【解決手段】１０個のキー及びボタンに子音、５個のキー及びボタンに母音、１個のキー及びボタンに句点、濁点などの記号の役割を振り当てることにより効率良く日本語を入力することの出来るキー及びボタン配置にする。【選択図】図１
2004254268.tif 000002
【特許請求の範囲】
【請求項１】
１回または２回キー及びボタンを押すだけでひらがな及びかたかなの五十音訓の文字が入力出来るようにする。
【発明の詳細な説明】
【０００１】
【発明の属する技術分野】
携帯電話機・固定電話機・テレビ／ビデオのリモコンなどの機器が備えているキー及びボタン数でも効率良く日本語を入力できるようにしたものである。
【０００２】
【従来の技術】
１０つのキー及びボタンのそれぞれに「あ、い、う、え、お」「か、き、く、け、こ」「さ、し、す、せ、そ」「た、ち、つ、て、と」「な、に、ぬ、ね、の」「は、ひ、ふ、へ、ほ」「ま、み、む、め、も」「や、ゆ、よ」「ら、り、る、れ、ろ」「わ、を、ん」が振り当てられている。
【０００３】
【発明が解決しようとする課題】
日本語を入力する際に数多くキー及びボタンを押す必要があった。例えば「お」の入力には「あ行」のキー及びボタンを５回おす必要がある。
【０００４】
【課題を解決する為の手段】
１０個のキー及びボタンに子音、５個のキー及びボタンに母音、１個のキー及びボタンに句点、濁点などの記号の役割を振り当てることにより効率良く日本語を入力することが出来るようにした。
【０００５】
【発明の実施の形態】
以下、本発明の実施の形態について説明する。
（イ）．１０個のキー及びボタン▲１▼に子音を割り当てる。
（ロ）．５個のキー及びボタン▲２▼に母音を割り当てる。
（ハ）．１個のキー及びボタン▲３▼に句点、濁点などの記号の役割を振り当てる。
【０００６】
【発明の効果】
例として「こんにちは」と入力する時にキー及びボタンを押す回数の比較を示す。
今回申請の方法：９回
従来方法      ：１３回
【図面の簡単な説明】
【図１】本発明の正面図である。
【符号の説明】
▲１▼  １０個の子音キー及びボタン
▲２▼  ５個の子音キー及びボタン
▲３▼  １個の記号キー及びボタン
【図１】
2004254268.tif 000003
(57)【要約】【目的】マルチキャリア変調方式の同期検出法【構成】送信側より、任意のサブキャリアを同期信号とし、１シンボル毎に、位相を反転して送出する。サブキャリアの郡遅延による位相の変化、及び受信側の局部発振の位相のずれに関係なく、各サンプリング毎に１シンボル分のＩＱ出力の移動平均を求め、ＩＱの相対比の変化が不連続となる点を求める。【選択図】              図１
2004254264.tif 000002
【特許請求の範囲】
【請求項１】
同期信号として、１シンボル毎、位相を反転した信号を送出する。
【請求項２】
シンボルの中心を検出し、シンボル同期点を算出する。
【請求項３】
受信側において、同期信号を任意の点から１サンプル毎１シンボル分連続してＦＦＴし、Ｉｊ  Ｑｊ（ｊ番目のＩＱ出力）それぞれの相対比を求めると、シンボルの中点で不連続となる。この点から二分の一シンボル移動した点を、シンボルの同期点とする。
【発明の詳細な説明】
【０００１】
【発明の属する技術分野】
本発明は、マルチキャリア変調方式の通信に関する。
【０００２】
【従来の技術】
ＯＦＤＭ等方式のシンボル同期は、各サブキャリアの位相を基準にしたもので、郡遅延の少ないことを前提に設計されていた。
この方式は、無線送受信機の設計に大きな負担を強いる問題点があった。
【０００３】
【発明が解決しようとする課題】
本発明は、無線送受信機を含む伝送路の郡遅延に関係なくシンボル同期を確立する。
【０００４】
【課題を解決するための手段】
同期信号のシンボルｋとｋ＋１番目の中点間をＦＦＴすると、零になる。
本発明では、この零になる点を検出しそれを基準に、同期を確立する。
【０００５】
【作用】
送信側より、任意のサブキャリアを同期信号とし、１シンボル毎に位相を反転し送出する。サブキャリアの郡遅延による位相変化、受信側の局部発振の位相に関係なく、各サンプル毎に１シンボル長のＩＱ出力の相対比を求めると、相対比それぞれの変化が不連続に変化する所が必ず１箇所求められる。
この点が各シンボルの中間点である。従ってこの点を基準にシンボルの同期を得る。
【０００６】
【実施例】
図１にシンボル長とＦＦＴの時間の窓との関係を示す。
図１に於いて、シンボル１，シンボル２、シンボル３は、受信側のシンボルであって、ｋ番目とｋ＋１番目の位相は逆そうであるが、１シンボル内の位相は、任意である。
図１に於いて１〜７はそれぞれの区間のＦＦＴによる出力でＩｊ  Ｑｊの二乗和
√（Ｉｊ＾２＋Ｑｊ＾２）
である。
１＞２＞３＞４＜５＜６＜７．．．．．
となり、              Ｉｊ／√（Ｉｊ＾２＋Ｑｊ＾２）
及び                  Ｑｊ／√（Ｉｊ＾２＋Ｑｊ＾２
としてそれぞれの相対比を求めると、３が不連続点となる。
３から二分の一前後に移動した点が同期点となる。
【０００７】
【発明の効果】
本発明によれば、簡単な操作で正確なシンボル同期を確立できる。
【図面の簡単な説明】
【図１】シンボル同期の概念図
【図１】
2004254264.tif 000003
(57)【要約】【課題】蛋白質を含まないで、安定した液状のコーヒーホワイトナーを得ることができる新規な乳化剤を提供する。【解決手段】ショ糖脂肪酸エステル及びポリグリセリン脂肪酸エステルを含み、蛋白質は含まないものを、コーヒーホワイトナー用乳化剤とすることによって、蛋白質を一切含まない液状コーヒーホワイトナーの提供を可能とする。この乳化剤は、ポリグリセリン脂肪酸エステルのグリセリン平均重合度は２〜４であるのが好ましく、有機酸モノグリセリドや安定剤を含んでもよい。【選択図】  なし【特許請求の範囲】
【請求項１】
ショ糖脂肪酸エステル及びポリグリセリン脂肪酸エステルを含み、蛋白質は含まないことを特徴とするコーヒーホワイトナー用乳化剤。
【請求項２】
ポリグリセリン脂肪酸エステルの平均重合度が２〜４であることを特徴とする請求項１記載のコーヒーホワイトナー用乳化剤。
【請求項３】
ショ糖脂肪酸エステルとポリグリセリン脂肪酸エステルの併用割合が、重量で１：１５〜１５：１であることを特徴とする請求項１又は２記載のコーヒーホワイトナー用乳化剤。
【請求項４】
更に、有機酸モノグリセリドを含むことを特徴とする請求項１〜３いずれか１項に記載のコーヒーホワイトナー用乳化剤。
【請求項５】
更に、安定剤を併用することを特徴とする請求項１〜４いずれか１項に記載のコーヒーホワイトナー用乳化剤。
【請求項６】
請求項１〜５いずれか１項に記載の乳化剤を使用したことを特徴とするコーヒーホワイトナー。
【発明の詳細な説明】
【０００１】
【発明の属する技術分野】
本発明は、コーヒーホワイトナー用乳化剤及びそれを用いたコーヒーホワイトナーに関するものである。
【０００２】
【従来の技術】
従来、種々のコーヒーホワイトナーが市販されているが、これらは脱脂粉乳やカゼインナトリウムなどの蛋白質を含んでおり、この蛋白質が乳化安定作用を有するため、コーヒーホワイトナーの安定性に大きく影響している（特許文献１参照）。
【０００３】
また、蛋白質を含まないコーヒーホワイトナーとして、粉末状のものは知られているが（特許文献２及び３参照）、液状で安定な製品が得られていない。
【０００４】
更に、カゼインナトリウムを使用しないか又はその使用量を非常に低減することも試みられているが（特許文献４参照）、コーヒーホワイトナーには、蛋白源として脱脂粉乳が含まれており、蛋白質なくしては、液状のコーヒーホワイトナーの安定化はできないとされていた。
【０００５】
【特許文献１】特開平５−１７６６７８号公報
【特許文献２】特開平２−１０７１５３号公報
【特許文献３】特開昭６２−４４１３４号公報
【特許文献４】特開昭５６−１６４７４３号公報
【０００６】
【発明が解決しようとする課題】
近年、アレルギー問題や狂牛病が注目され、大豆由来や乳由来である蛋白質を除去したいという消費者の要求が高まってきた。しかし、蛋白質は乳化安定性に大きく寄与しており、蛋白質を含まないコーヒーホワイトナーを、液状で安定して得ることは困難とされていた。
そこで、本発明は、蛋白質を含まないで、安定した液状のコーヒーホワイトナーを得ることができる新規な乳化剤を提供することを課題とする。
【０００７】
【課題を解決するための手段】
本発明では、ショ糖脂肪酸エステルとポリグリセリン脂肪酸エステルを組み合わせて使用することにより、蛋白質を含まないコーヒーホワイトナーを安定して提供することを可能とした。
【０００８】
すなわち、本発明のコーヒーホワイトナー用乳化剤は、ショ糖脂肪酸エステルとポリグリセリン脂肪酸エステルを含み、蛋白質を含まないものとする。ショ糖脂肪酸エステル及びポリグリセリン脂肪酸エステルの構成脂肪酸は特に限定されないが、ポリグリセリン脂肪酸エステルのグリセリン平均重合度は２〜４であるのが好ましい。
【０００９】
かかる乳化剤を使用したコーヒーホワイトナーは、蛋白質を含まなくても、液状で非常に安定性ある製品となり、コーヒーへの分散性も良好となる。
【００１０】
なお、本発明のコーヒーホワイトナー用乳化剤における、ショ糖脂肪酸エステルとポリグリセリン脂肪酸エステルの併用割合は、特に限定されないが、重量割合で、１：１５〜１５：１、特に１：１０〜１０：１程度であるのが好ましい。またショ糖脂肪酸エステルとポリグリセリン脂肪酸エステルを併含する限り、モノグリセリン脂肪酸エステルを含んでもよい。
【００１１】
また、コーヒーホワイトナー用乳化剤のショ糖脂肪酸エステル含有量は５〜５０重量％、ポリグリセリン脂肪酸エステル含有量は５〜８０重量％であるのが好ましい。
【００１２】
かかる本発明の乳化剤は、コーヒーホワイトナーに０．０１〜１０重量％、特に０．２〜２重量％程度、添加使用するのが好ましい。
【００１３】
また、本発明の乳化剤には、有機酸モノグリセリドが含まれてもよく、その種類は特に限定されないが、例えばコハク酸モノグリセリド、クエン酸モノグリセリド、ジアセチル酒石酸モノグリセリド、乳酸モノグリセリドなどを用いることができる。
【００１４】
更に、本発明の乳化剤は、安定剤と併用されてもよく、例えばカラギーナン、グアーガム、キサンタンガム、ローカストビーンガム、カルボキシメチルセルロースなど食品に用いられる安定剤がいずれも使用できる。
【００１５】
【発明の実施の形態】
次に、本発明の実施例および比較例を挙げるが、本発明はこれによって限定されるものではない。
実施例１〜５、比較例１〜２
表１の処方に従ってコーヒーホワイトナー用乳化剤を調製した。
まず、砂糖・水溶性乳化剤を水に分散して７０℃に加温し、リン酸塩にてｐＨ＝７に調整する。この分散液に７０℃に油溶性乳化剤を溶解した食用油脂を加えながら、ホモミキサーにて攪拌混合して予備乳化物を得た。予備乳化物を一次圧２３０ｋｇ／ｃｍ２、二次圧７０ｋｇ／ｃｍ２でホモジナイザーにより均質化を行ない、容器に充填後、１２１℃２０分間レトルト殺菌を行ないコーヒーホワイトナーを調製した。
なお、ここで使用した乳化剤等は表２に示す通りである。また、表１及び２の各成分量は重量％で示されている。
【００１６】
【表１】
2004254594.tif 000002
【００１７】
【表２】
2004254594.tif 000003
【００１８】
【発明の効果】
本発明では、蛋白質を一切含まない液状コーヒーホワイトナーを得ることができる。また、得られたコーヒーホワイトナーは保存安定性及びコーヒー分散性のいずれにも優れている。
(57)【要約】      （修正有）【課題】ＥＳ細胞を用いることなく、ノックアウト動物を得ることができる方法を提供する。【解決手段】（Ａ）目的とするノックアウトマウス作製用遺伝子（ターゲッティング遺伝子）を単独で、あるいはターゲッティング遺伝子とリコンビナーゼをコードする遺伝子とを同時に卵母細胞あるいは受精卵の核内に導入することにより、相同組換えを起こした卵母細胞あるいは受精卵を作製する工程と、（Ｂ）工程（Ａ）を経た卵母細胞を体外受精によって受精させる工程、とを備える。【選択図】図１
2004254587.tif 000002
【特許請求の範囲】
【請求項１】
卵核胞期の卵母細胞または受精卵を用いることを特徴とする非ヒト動物におけるノックアウト動物の作製法。
【請求項２】
卵核胞期の卵母細胞への遺伝子導入時に卵核胞の崩壊を抑制する薬剤Ｂｕｔｙｒｏｌａｃｔｏｎｅ１（ＢＬ１）、Ｉｓｏｂｕｔｙｌｍｅｔｈｙｌｘａｎｔｈｉｎｅ（ＩＢＭＸ）、シクロヘキシミド等を用いることを特徴とする請求項１に記載のノックアウト動物の作製法。
【請求項３】
卵核胞期の卵母細胞あるいは受精卵に目的の遺伝子を導入する際に、リコンビナーゼを発現する遺伝子を同時に導入することを特徴とする請求項１または２に記載のノックアウト動物の作製法。
【発明の詳細な説明】
【０００１】
【発明の属する技術分野】
この発明は、ノックアウト動物の作製方法に関する。
【０００２】
【従来の技術】
従来のノックアウト動物の作製法はＥＳ細胞を用いるものであり、ＥＳ細胞に薬剤耐性を持ったターゲティング遺伝子を導入し、生存したＥＳ細胞を相同組換えを起こしたＥＳ細胞として単離し、数個から十数個を桑実期から胚盤胞期のマウス受精卵に導入してキメラマウスを作製するものである。作製したキメラマウスは毛色によってＥＳ細胞の寄与率を予測し、その個体を雌マウスと交配することにより、ＥＳ細胞由来の子孫を得た後ヘテロ個体として、ヘテロ個体同士の交配によってホモ個体であるノックアウト個体を作製する。
【０００３】
【発明が解決しようとする課題】
しかしながら、以上の従来技術によればＥＳ細胞の存在が不可欠であったため、ＥＳ細胞が樹立されていないマウス以外の動物種では作製が不可能であった。また、作製時にはＥＳ細胞の個体への寄与率が問題になり、生殖細胞への寄与がない場合はその子孫においてノックアウトマウスが作製できない。従来の方法ではＥＳ細胞は不可欠であり、現在マウスでしかキメラ作製が可能なＥＳ細胞は存在しないため、ノックアウト動物はマウス以外では不可能な技術である。また、ＥＳ細胞の培養や選択には非常に時間とコストがかかることやＥＳ細胞の個体への寄与率がＥＳ細胞株によって大きく異なる。さらに、ＥＳ細胞株の樹立も容易ではないため、ＥＳ細胞を介したノックアウト動物の作製には多大な労力を必要とする。そこで、この発明は、ＥＳ細胞を用いずにターゲティング遺伝子を卵母細胞あるいは受精卵に直接導入してノックアウト動物を作製する方法を提供することを課題とする。
【０００４】
【課題を解決するための手段】
以上の課題を解決するために、請求項１の発明は、卵核胞期の卵母細胞または受精卵を用いることを特徴とするノックアウト動物の作製法である。
また、請求項２の発明は、卵核胞期の卵母細胞に遺伝子を導入する際に、卵核胞の崩壊を抑制する薬剤を用いることを特徴とするノックアウト動物作製法である。
また、請求項３の発明は、卵核胞期の卵母細胞あるいは受精卵への遺伝子導入時に相同組換えを誘起するリコンビナーゼを発現する遺伝子あるいはそのタンパク質を同時に導入することを特徴とする請求項１または２に記載のノックアウト動物の作製法である。
【０００５】
本発明でいうターゲッティング遺伝子とは従来のノックアウトマウス作製のために用いられてきた、目的とした遺伝子座のＤＮＡと相同組換えさせるためのベクターであり、薬剤耐性遺伝子を持ったものである。
【０００６】
本発明でいう受精卵とは雌雄の前核を有する１細胞期胚および遺伝子導入が可能な２細胞期以降の卵子も含む。
【０００７】
本発明でいう遺伝子導入には従来用いられてきたＤＮＡの顕微注入法あるいは陽電荷脂質を利用する方法を用いる。
【０００８】
【発明の実施形態】
この発明の一実施形態の１例を、図１、２、３に示す。
卵母細胞あるいは受精卵を操作用の培地３に入れ、マイクロマニピュレーターで操作を実施する（図１参照）。卵核胞期の卵母細胞の核６内に微細なガラス管２に入ったＤＮＡをマイクロマニピュレーターを用いて注入する（図２参照）。また、前核期卵子を用いる場合は、ＤＮＡを雌性前核７と雄性前核８の両前核に注入する（図３参照）。また、請求項２を実施する場合、卵核胞期の卵母細胞は体外に取り出した時自発的に核膜の崩壊を開始することから、体外における操作を行う培地３に卵核胞の崩壊を抑制する薬剤を添加して行う（図１参照）。請求項３を実施する場合、目的のターゲティングＤＮＡと同時にリコンビナーゼを発現する遺伝子あるいはリコンビナーゼタンパク質を注入用微細ガラス管２に入れて注入する。
【０００９】
陽電荷脂質を用いる方法に関しては従来の方法に従う。
【発明の効果】
以上説明したように、この発明によれば、ＥＳ細胞を用いないため、マウス以外の動物種においてもノックアウト動物の作製が可能となる。
【０００１０】
また、ＥＳ細胞の個体への寄与率を考慮する必要がなく、作製効率が大きく飛躍する。
【図面の簡単な説明】
【図１】培地中で卵子に遺伝子導入を行う場合の模式図。
【図２】卵核胞期の卵母細胞を用いて遺伝子導入する場合の模式図。
【図３】前核期卵子を用いて遺伝子を導入する場合の模式図。
【符号の説明】
１卵子（卵核胞期の卵母細胞あるいは前核期卵子）
２遺伝子注入用微細ガラス管
３操作用培地
４プラスチックシャーレ
５パラフィンオイル
６卵核胞
７雌性前核
８雄性前核
９透明帯
１０卵子細胞質
【図１】
2004254587.tif 000003
【図２】
2004254587.tif 000004
【図３】
2004254587.tif 000005
(57)【要約】【課題】  今まで面倒だったオス犬の尿を縦面から内側へ伝うよう流れを誘導するボードを提案する。排尿後、水や洗剤もペットシートに誘導するので一緒に捨てることができ掃除を楽にかつ簡単にする。またペットトイレとペットトイレ周辺の掃除も簡単にできるようにする。今までオス犬の尿の飛散を防ぐため囲いを作ったり、ペットシートを二枚ずらして使うなど工夫が必要だったのでそれらをまとめて解決できるようにする。【解決手段】  縦に立てるボード内側の下部分、またはボード全体に湾曲又は傾斜したボードを融合されることによりオス犬が片足を上げて用をたす際  尿がボードを伝い更に誘導部分につけた湾曲又は傾斜した部分によってペットシートへうまく伝うよう加工する。  【選択図】図１   
2004254701.tif 000002
【特許請求の範囲】
【請求項１】
尿の流れを変え掃除がしやすいように加工した、おしっこ誘導ボードを含むペットトイレ。
【請求項２】
ボード面に波状加工、筋状加工等を施したペットトイレ。
【請求項３】
請求項２記載のものに様々な材質、色、模様をつけたペットトイレ。
【請求項４】
トイレに取り付けペットトイレに付属品として使用し、またはペットトイレと一体化させルことのできる尿の流れを変え掃除がしやすいように加工したおしっこ誘導ボード。
【請求項５】
底面をつけ半ボックス型にした場合トイレのトレイ部分を引き出し型でスライドして使用できるペットトイレ。
【発明の詳細な説明】
【技術分野】
【０００１】
本発明は今まで面倒だった片足をあげて尿を飛散させるオス犬のトイレ掃除とトイレ周辺の掃除を楽に簡単にするペットトイレである。
【背景技術】
【０００２】
オス犬が片足を上げて尿を飛散させるので今までペットシートを1枚または複数枚ずらして使う・囲いを作る・作った囲いにペットシートをたらしたり貼ったりする工夫が必要だった。掃除にも手間がかかるので簡単にしたい。
【発明の開示】
【発明が解決しようとする課題】
【０００３】
今まで面倒だったオス犬のトイレ縦面に付いた尿とペットシートとペットトイレ間の掃除を楽に簡単にする。
【０００４】
オス犬の尿の飛散を防ぎペットトイレ周辺の掃除も楽にする。
【０００５】
現在製造販売されているペットシートを有効に使用できる。
【課題を解決するための手段】
【０００６】
ペットトイレに縦面１〜３面囲うように立てる又はコーナー用のボード内側に湾曲または傾斜させた部分をつける。
【０００７】
そのボードの内側につけた湾曲または斜めにした小ボードは立てるボードと一体化させる。      
【発明の効果】
【０００８】
犬の癖に合わせおしっこ誘導ボードを１枚から３枚組み合わせるかトイレ自体と一体化させることによりオス犬の尿の飛散を防ぎ、尿の流れをペットシートへスムーズに誘導させることができる。
【０００９】
掃除の時、水やスプレー洗剤等で流したものも尿の経路と同じように湾曲部分を伝いペットシーツに滲み込むようになるのでまとめて掃除ができ捨てることができ楽である。
【００１０】
今までオス犬の尿のためにペットトイレより大きめのペットシーツを購入したり、ずらして使用又は２枚使用することが無くなり経済的であり、ペットシーツの交換も簡単にする。
【００１１】
ペットシーツの淵部分は横漏れを防止するためビニールなので今まではボードや簡易囲い型のものを使用してもペットシーツをトイレの大きさに合わせると滲み込まない部分にばかり付着していた  これも解決できる。
【００１２】
壁や家具その他のものへの尿の汚れを防ぐことができる。
【発明を実施するための最良の形態】
【００１３】
図１１・図１２  ペットトイレ自体と一体化させ今までのトレイ部分をスライド型にしたものだと犬の癖が変わっても使用できる。
【実施例】
【００１４】
底面をつけておしっこ誘導ボードと一体化させて半ボックス型にしてペットトイレを
入れる。（図１）
【００１５】
コーナー用のL字型にしたものをペットトイレに付属させて使用する。（図７）
【００１６】
底面をつけたペットトイレと一体化させた場合トイレトレイを引き出し型にするかトイレトレイをスライドさせやすいい形に加工する。（図１１・図１２）
【図面の簡単な説明】
【００１７】
【図１】オス犬の尿の流れと水や洗剤の流れを表した図
【図２】おしっこ誘導ボードの断面図  下部分を湾曲形にしたもの
【図３】おしっこ誘導ボードの断面図  下部分を傾斜形にしたもの
【図４】おしっこ誘導ボードの断面図  全体的に湾曲したもの
【図５】おしっこ誘導ボード  側面用
【図６】おしっこ誘導ボード  側面用と背面用を合わせたもの
【図７】おしっこ誘導ボードをコーナーに丸みをつけたもの
【図８】おしっこ誘導ボードをペットトイレに付属時差し込みタイプにした応用例。
【図９】おしっこ誘導ボードとペットトイレ底面を一体化した応用例
【図１０】おしっこ誘導ボードとペットトイレ自体を一体化しトレイ部分を引き出し形にスライドできるようにした応用例
【図１１】図10の全体  正面上方斜視図
【図１２】図４の大きく湾曲形にしたボードをペットトイレと一体化した正面上方斜視図
【符号の説明】
【００１８】
a おしっこ誘導ボード  
b ペットトイレ
c ペットシート
d 尿の経路
e ペットシート留め
f ペットトイレ トレイ
g 取手
【図１】
2004254701.tif 000003
【図２】
2004254701.tif 000004
【図３】
2004254701.tif 000005
【図４】
2004254701.tif 000006
【図５】
2004254701.tif 000007
【図６】
2004254701.tif 000008
【図７】
2004254701.tif 000009
【図８】
2004254701.tif 000010
【図９】
2004254701.tif 000011
【図１０】
2004254701.tif 000012
【図１１】
2004254701.tif 000013
【図１２】
2004254701.tif 000014